(57)【要約】【課題】両持ち支持された砥石車を備える研削盤においても、簡単に砥石交換が可能である砥石ガード装置の提供を課題とする。【解決手段】砥石ガード装置２３は、砥石台に固定された固定カバー部２４と、固定カバー部２４に回転可能に取り付けられ、砥石車Ｇの上方を覆う可動カバー部２５とから構成される。従って、可動カバー部２５は、砥石車Ｇの端面に貫通された砥石軸２０と干渉することなく砥石車Ｇの上方に開放させることができ、容易に砥石車Ｇを交換できる。【選択図】        図３
2006068838.tif 000002
【特許請求の範囲】
【請求項１】
砥石台に対して両持ち支持された砥石車を覆う砥石ガード装置において、
前記砥石台に対して固定され、前記砥石車を側方から覆う固定カバー部と、
該固定カバー部に対し回転軸を中心に回転開閉可能に取付けられ、前記砥石車を上方から覆う可動カバー部と
を具備することを特徴とする砥石ガード装置。
【請求項２】
前記固定カバー部に対して着脱可能に取付けられ、該固定カバー部との協働によって前記砥石車を側方から覆う着脱カバー部をさらに備えることを特徴とする請求項１に記載の砥石ガード装置。
【請求項３】
クーラント供給装置または潤滑液供給装置から供給されるクーラントまたは潤滑液を前記砥石車に噴射するノズルと、
該ノズルを前記可動カバー部に固定させるブラケットと
をさらに具備することを特徴とする請求項１または請求項２に記載の砥石ガード装置。
【請求項４】
砥石台に対して両持ち支持された砥石車を覆う砥石ガード装置において、
前記砥石台に対して固定され、前記砥石車における一方の端面の全域、他方の端面の下側部分、及び周面を、側方から覆う固定カバー部と、
該固定カバー部に対し回転軸を中心に回転開閉可能に取付けられ、前記砥石車の周面を上方から覆う可動カバー部と、
前記固定カバー部に対して着脱可能に取付けられ、前記砥石車における前記他方の端面の上側部分を側方から覆う着脱カバー部と、
クーラント供給装置または潤滑液供給装置から供給されるクーラントまたは潤滑液を前記砥石車に噴射するノズルと、
該ノズルを前記可動カバー部に固定させるブラケットと
を具備することを特徴とする砥石ガード装置。
【発明の詳細な説明】
【技術分野】
【０００１】
本発明は、砥石ガード装置に関し、特に、研削盤において両持ち支持された砥石車を覆う砥石ガード装置に関するものである。
【背景技術】
【０００２】
従来より、工作物を研削加工する研削盤に用いられる砥石車は、図６（ａ）に示すように、砥石ガード５０によって覆われていることが一般的である。砥石ガード５０は、例えば、固定カバー部５１と可動カバー部５２とから構成されており、可動カバー部５２は、固定カバー部５１に対して、ヒンジ５３により回動自在に連結されている。なお、砥石車Ｇは、第一回転軸５４に軸承されている。
【０００３】
クーラント液や研削加工時に工作物より発生する切屑などは、固定カバー部５１及び可動カバー部５２から構成される砥石ガード５０によって遮断され、外部に飛散しない構成となっている。そして、度重なる研削加工により、砥石車Ｇが磨耗し、交換が必要になった場合には、可動カバー部５２が矢印ａの方向に持ち上げられ、砥石車Ｇが回転軸５４から取り外され、交換される。
【０００４】
ところで、図６（ａ）において、砥石車Ｇは、回転軸５４によって片端のみを支持（いわゆる、片持ち支持）される構成を示したが、図６（ｂ）に示すように、第二回転軸５５を用いて、両端側から支持（いわゆる、両持ち支持）することも行われている。両端側から支持することにより、砥石車Ｇの支持剛性が向上し、砥石車Ｇの回転数を上昇させることができ、所定の周速を得るために必要な砥石車Ｇの直径を小さくすることが可能となる。従って、コンパクトな構成で高速の研削加工が可能となり、また、砥石車Ｇの可搬性が向上することで、交換作業にかかる作業者の負担も軽減できる。
【０００５】
以上の従来技術は、当業者において当然として行われているものであり、出願人は、この従来技術が記載された文献を知見していない。
【発明の開示】
【発明が解決しようとする課題】
【０００６】
しかし、両端側から砥石車Ｇを支持する場合においては、第二回転軸５５（図６（ｂ）参照）が存在することにより、仮に図６（ａ）に示すような可動カバー部５２を設けたとしても、可動カバー部５２が回転開閉する方向に第二回転軸５５が存在するため、第二回転軸５５と可動カバー部５２とが干渉してしまい、可動カバー部５２を開放することができない。従って、従来の両持ち支持の砥石車Ｇに対する砥石ガード５０においては、図６（ｂ）に示すように、固定カバー部５１のみで砥石ガード５０を構成していた。従って、砥石車Ｇを交換する際には、固定カバー部５１を分解して、砥石台より取り外し、交換が終了した際には、再度砥石台に取り付けて組みなおす必要が生じていた。従って、非常に手間がかかり、作業者にとって大きな負担となっていた。
【０００７】
そこで、本発明は、上記の実状に鑑み、両持ち支持された砥石車を備える研削盤においても、簡単に砥石交換が可能である砥石ガード装置の提供を課題とするものである。
【課題を解決するための手段】
【０００８】
本発明にかかる砥石ガード装置は、「砥石台に対して両持ち支持された砥石車を覆う砥石ガード装置において、前記砥石台に対して固定され、前記砥石車を側方から覆う固定カバー部と、該固定カバー部に対し回転軸を中心に回転開閉可能に取付けられ、前記砥石車を上方から覆う可動カバー部とを具備する」ものである。
【０００９】
ここで、固定カバー部は、砥石車の端面及び周面の側方の一部のみを覆うものであってもよいが、端面及び周面の側方全体を覆うものであれば、クーラント液や切屑の飛散を効果的に遮断するので、より好ましい。なお、砥石車の端面の側方全体を覆う場合においては、固定カバー部に、砥石車と砥石車を支持する砥石軸との連結部に対して、連結操作を容易にするための切欠部を設けることが、より好ましい。
【００１０】
本発明によれば、可動カバー部は、固定カバー部に対して回転開閉可能に取り付けられ、さらに、上方から砥石車を覆うものである。従って、砥石車を交換する場合は、可動カバー部を砥石車の上方に回転させることで、砥石車の端面から側方に延出されている砥石軸に干渉させることなく可動カバー部を開放させることができる。また、可動カバー部が上方に開放されることにより、砥石車を砥石軸の径方向に引き出すことができるため、砥石車の端面から側方に延出されている砥石軸と砥石車とが干渉することも無く、容易に砥石車を交換することが可能となる。
【００１１】
本発明にかかる砥石ガード装置において、「前記固定カバー部に対して着脱可能に取付けられ、該固定カバー部との協働によって前記砥石車を側方から覆う着脱カバー部をさらに備える」ようにしてもよい。
【００１２】
これによると、砥石車の側方には、砥石台に固定された固定カバー部に加え、さらに固定カバー部に着脱可能に取り付けられた着脱カバー部も備えているため、砥石車の交換時に、容易に砥石車の取り出し口を広げることができる。従って、砥石車の交換作業をさらに簡便にすることができる。
【００１３】
また、本発明にかかる砥石ガード装置において、「クーラント供給装置または潤滑液供給装置から供給されるクーラントまたは潤滑液を前記砥石車に噴射するノズルと、該ノズルを前記可動カバー部に固定させるブラケットとをさらに具備する」ようにしてもよい。
【００１４】
ところで、従来、両持ち支持された砥石車に対してクーラントや潤滑液を噴射するノズルは、固定カバー部に連結固定されていた。従って、砥石車の交換作業時に固定カバー部を分解し、砥石車を取り出す際は、ノズルも固定カバー部と一緒に取り外す必要があり、ノズルの根元に連結されているホースの取りまわしなどが非常に手間を要するものであった。さらに、交換作業終了後は、再度元の位置へとノズルを固定させる必要が生じることに加え、ノズルの噴射口が正確に元の位置に戻るよう調整する必要が生じ、作業効率を著しく悪化させるという問題があった。
【００１５】
本発明は、この問題に鑑み、クーラント液または潤滑液を噴射するノズルを、ブラケットを介して可動カバー部に固定する構成とした。これによれば、砥石車の交換時に可動カバー部を開放させると、それに伴い、ノズルも、砥石車の交換に邪魔にならない位置まで同時に移動される。そして、交換作業終了後、可動カバー部を閉じ、交換前の所定の位置まで戻すと、それに伴いノズルも交換前の位置まで戻されるため、ノズルを取り外す手間を省くことができることに加え、作業終了後の調整作業も削減することができる。
【００１６】
本発明にかかる砥石ガード装置は、「砥石台に対して両持ち支持された砥石車を覆う砥石ガード装置において、前記砥石台に対して固定され、前記砥石車における一方の端面の全域、他方の端面の下側部分、及び周面を、側方から覆う固定カバー部と、該固定カバー部に対し回転軸を中心に回転開閉可能に取付けられ、前記砥石車の周面を上方から覆う可動カバー部と、前記固定カバー部に対して着脱可能に取付けられ、前記砥石車における前記他方の端面の上側部分を側方から覆う着脱カバー部と、クーラント供給装置または潤滑液供給装置から供給されるクーラントまたは潤滑液を前記砥石車に噴射するノズルと、該ノズルを前記可動カバー部に固定させるブラケットとを具備する」ものである。
【００１７】
本発明によれば、砥石台に対して固定された固定カバー部は、砥石車の一方の端面の全域、他方の端面の下側部分、及び周面を、砥石車の側方から覆うものである。従って、砥石車の端面及び周面の一部のみを覆う場合に比べて、砥石車の周囲をより広く覆う構成であるため、クーラントや切屑の飛散を効果的に遮断することができる。そして、砥石車の周面を上方から覆う可動カバー部を、固定カバー部に対して回転開閉可能に取り付けることにより、砥石車を交換する場合において、砥石車の端面の側方に延出されている砥石軸に干渉させることなく、可動カバー部を砥石車の上方に開放させることができる。また、可動カバー部が上方に開放されることにより、砥石車を上方に（すなわち、砥石軸の径方向に）引き出して取り出すことができる。従って、砥石車と砥石軸とが干渉することもないため、容易に砥石車を交換することが可能となる。さらに、クーラントや潤滑液を砥石車に噴射するノズルは、可動カバー部にブラケットを介して固定される構成であるため、砥石車の交換に際してノズルが砥石車に干渉する恐れが無くなる。従って、カバー部より取り外す必要がなく、ホースの取り回しが容易であることに加え、交換作業終了後のノズル位置の再調整の必要もなくなるため、作業効率を著しく向上させることができる。また、砥石車の他方の端面の上側部分のみを覆うカバー部を、着脱可能な着脱カバー部とすることで、砥石車の端面の全域を覆うカバー部を取り外す場合に比べ、比較的簡単な着脱操作によって着脱カバー部を取り外し、砥石車の取り出し口を広げることができる。従って、着脱カバー部の取り外し作業を簡便化し、かつ砥石車の交換作業にかかる作業者の負担を軽減することも可能となる。
【発明の効果】
【００１８】
このように、本発明の砥石ガード装置によれば、固定カバー部に対して回転開閉可能に取り付けられ、さらに、上方から砥石車を覆う可動カバー部を備えることにより、両持ち支持された砥石車を備える研削盤においても、固定カバー部の側方に位置する砥石軸に干渉させることなく、自由に可動カバー部を開閉させることができる。従って、砥石交換の度に固定カバー部を砥石台より分解させて取り外す必要がなく、可動カバー部を開閉するだけで砥石車を取り出すことが可能となる。これにより、砥石交換における作業者の負担を大幅に軽減することができる。
【発明を実施するための最良の形態】
【００１９】
以下、本発明の一実施形態である砥石ガード装置について、図１乃至図５に基づき説明する。図１及び図２は円筒研削盤の構成を示す平面図及び側面図であり、図３は本発明の砥石ガード装置の模式図であり、図４、図５は本発明の砥石ガード装置の構成を示す左側面図、及び右側面図である。
【００２０】
まず、図１及び図２を基に、本発明の砥石ガード装置が適用されている円筒研削盤１（以下、研削盤１という）について説明する。なお、本実施形態では、研削盤１として、ワークＷを支持するワークテーブル２、及び砥石台本体３を備えた研削盤１を例示するが、説明の便宜上、研削盤１の全体構成に係る位置関係を、研削盤１に臨む使用者（図１において下側、図２において左側に立つ）から見た状態として説明する。すなわち、使用者から見て、手前側を「前」、奧側を「後」、右側を「右」、左側を「左」として説明する。
【００２１】
研削盤１は、コンピュータ数値制御装置（ＣＮＣ）により全体の駆動が制御されるものであり、主に、ワークテーブル２、ワークテーブル２に対向して配置される砥石台本体３、及びワークテーブル２と砥石台本体３とを載置する基台部分であるベッド４から構成される。
【００２２】
一対のワークテーブル６は、ベッド４上の前部側に載置されており、それぞれのワークテーブル６には主軸台２が備えられている。それぞれの主軸台２は、ワークＷの端部を支持する主軸５と、主軸５を回転させるための駆動手段６とを具備している。ワークＷは、駆動手段６によって主軸５が回転させられることにより、主軸５と共に回転させられる。なお、主軸５の軸方向（すなわち左右方向）をＺ軸、主軸５の径方向（すなわち前後方向）をＸ軸とする。
【００２３】
ベッド４の後部側上面には、Ｚ軸方向に延びる一対のＺ軸レール７が設けられ、このＺ軸レール７上をＺ軸方向に移動可能にサドル３００が載置されている。サドル３００の上面には、Ｘ軸方向に延びる一対のＸ軸レール８が設けられ、このＸ軸レール８上をＸ軸方向に移動可能に砥石台本体３が載置されている。砥石台本体３は、砥石車Ｇを回転駆動させるための回転駆動手段９と、砥石軸ユニット１０とを備えている。なお、図示はしていないが、Ｚ軸レール７間及びＸ軸レール８間にはそれぞれリニアモータのマグネットが備えられ、サドル３００及び砥石台本体３の下面にはそれぞれコイルが備えられている。そして、これらマグネット及びコイルによりリニアモータが構成され、このリニアモータによりサドル３００のＺ軸方向、砥石台本体３のＸ軸方向への移動が駆動されるようになっている。
【００２４】
回転駆動手段９は、モータ等から成る。また、回転駆動手段９の回転軸１１の先端には、駆動プーリ１２が固定されており、その回転軸１１と共に駆動プーリ１２が回転するようになっている。
【００２５】
砥石軸ユニット１０は、砥石車Ｇの軸方向両側に延出し、砥石車Ｇを着脱可能に固定する砥石軸２０と、砥石軸２０を回転可能に支持し砥石車Ｇの軸方向両側に配置される一対の軸受４０と、砥石軸２０に回転駆動手段９からの回転力を伝達させる回転力伝達手段としての砥石軸駆動プーリ１５と、一対の軸受４０を所定間隔で保持するユニット基台１６とを備えている。
【００２６】
砥石軸駆動プーリ１５は、砥石軸２０の一端部に固定されており、この砥石軸駆動プーリ１５と回転駆動手段９の駆動プーリ１２とにベルト１７を巻き掛けることで回転駆動手段９からの回転力が砥石軸２０に伝達され、回転するようになっている。
【００２７】
砥石軸ユニット１０の砥石軸２０は、図３に示すように、一端部に砥石車Ｇを固定するフランジ部２１を有した第一砥石軸１３と、第一砥石軸１３の一端部と連結可能な第二砥石軸１４と、第一砥石軸１３と第二砥石軸１４とを連結・分離させるための連結手段２２とから構成されており、第一砥石軸１３及び第二砥石軸１４は、夫々軸受４０によってユニット基台１６に回転可能に支持されている。
【００２８】
第一砥石軸１３は、軸受４０によってその軸方向に移動不能に支持されている。第二砥石軸１４は、第一砥石軸１３と連結する側とは反対側に、その軸方向にガイドさせるためのガイド手段（図示しない）が設けられており、軸方向に移動できるようになっている。
【００２９】
第一砥石軸１３と第二砥石軸１４とは、連結手段２２によって互いに連結されている。そして、第一砥石軸１３のフランジ部２１と砥石車Ｇとは、ボルト３９によって連結されている。
【００３０】
なお、図２に示すように、砥石台本体３は、基盤１８から前方に迫出された迫出し部１９を有しており、この迫出し部１９の前面に砥石軸ユニット１０が取り付けられている。よって、砥石車Ｇは、砥石台３の前方に大きく迫出した状態、所謂「オーバーハングした状態」となっている。
【００３１】
次に、本発明の実施形態における砥石ガード装置２３について、図３乃至図５に基づき説明する。砥石ガード装置２３は、主に、ユニット基台１６に固定された固定カバー部２４、固定カバー部２４に開閉可能に取り付けられた可動カバー部２５、及び固定カバー部２４に着脱可能に取り付けられた着脱カバー部２６から構成されている。なお、固定カバー部２４、可動カバー部２５、及び着脱カバー部２６の材質としては、特に限定されるものではないが、例えば金属やプラスチック、セラミックスなどが適用される。
【００３２】
固定カバー部２４は、図４及び図５に詳細に示すように、第一固定カバー部４１、第二固定カバー部４２、及び第三固定カバー部４３から構成されている。第一固定カバー部４１は、砥石車Ｇが第一砥石軸１３によって支持されている側の端面Ｔ１（図３参照）全域を覆うものである。略直方形状を呈しており、中央付近に、第一砥石軸１３を貫通させるための略円形の切欠部２７が設けられ、図示しないネジ部材によって第三固定カバー部４３に固定されている。第二固定カバー部４２は、砥石車Ｇが第二砥石軸１４によって支持されている側の端面Ｔ２（図３参照）の下側部分を覆うものである。第二固定カバー部４２の上側部分には、略半円弧状に切り欠かれた切欠部２８が備えられ、図示しないネジ部材によって第三固定カバー部４３に固定されている。第三固定カバー部４３は、砥石車Ｇの周面を、研削点（ワークＷと砥石車Ｇとの接触点）の反対側の側方から覆うものである。砥石車Ｇの外郭形状に沿わせた断面略円弧状を呈しており、第一固定カバー部４１及び第二固定カバー部４２との接合部には、第一砥石軸１３及び第二砥石軸１４の軸方向に延出されたフランジ部４４，４５が設けられている。
【００３３】
また、固定カバー部２４の下側部分には、遮断板３５が溶接固定されている。遮断板３５は、板状の部材であり、砥石車Ｇと干渉しない位置に傾斜して配置されている。研削加工作業時に、研削点において発生する火花は、遮断板３５によって遮断され、他の部材に飛散して損傷を与えることが無いように構成されている。
【００３４】
可動カバー部２５は、砥石車Ｇの周面を上方から覆うものであり、略直方形状の板状部材である。第三固定カバー部４３と接する側の端部には、ヒンジ２９が備えられ、これに対向する側の端部との略中間点には、第一固定カバー部４１及び着脱カバー部２６に対して固定させるための締結部材としてネジ４６が夫々備えられている。可動カバー部２５は、ヒンジ２９によって、第三固定カバー部４３に対して回転開閉可能に取り付けられており、ヒンジ２９を中心にして可動カバー部２５を回動させ、砥石車Ｇの上方を開放させることが可能となっている。また、砥石車Ｇの交換作業時以外は、可動カバー部２５は、ネジ４６によって、着脱カバー部２６及び第一固定カバー部４１に対して固定されている。なお、本例のヒンジ２９は、本発明の回転軸に相当している。
【００３５】
可動カバー部２５の周面Ｔ４側の端部には、ブラケット３０を介してノズル３１，５０が取り付けられている。ブラケット３０は、可動カバー部２５の上方且つ可動カバー部２５と対向する位置に設けられた第一部位３６と、第一部位３６から研削点に向かって垂下された第二部位３７とで形成される略Ｌ字形状の固定金具である。ノズル３１は、根元３８にホース（図示しない）が接続され、クーラント供給装置Ｋ（図３参照）から供給されたクーラントを内部に導入し、噴射口３２よりワークＷへとクーラントを噴射する構成である。また、ノズル５０は、根元にホース（図示しない）が接続され、図示しない潤滑液供給装置から供給されたミスト状の潤滑液を砥石車Ｇの砥石面に直角に噴霧し、砥石面に貼りついたミスト状の潤滑液を研削点へ供給するものである。ホースは、樹脂などから形成され可撓性を有していることが好ましい。
【００３６】
着脱カバー部２６は、砥石車Ｇの端面Ｔ２側の上側部分を、側方より覆うものである。そして、ネジ３３及びネジ４６によって、第三カバー部４３及び可動カバー部２５に夫々着脱可能に固定されている。また、着脱カバー部２６の下側部分、すなわち第二固定カバー部４２の切欠部２８と対向する部位には、半円弧状の切欠部３４が備えられており、切欠部２８と切欠部３４とで略円形の切欠部Ｓ（図４参照）を構成している。この切欠部Ｓが設けられていることにより、作業者は、着脱カバー部２６または第三固定カバー部４３を取り外すことなく、砥石車Ｇと第二砥石軸１４とを分離することが可能となり、砥石交換作業における作業効率性を向上させている。
【００３７】
続いて、本発明の砥石ガード装置２３を用いた場合における砥石交換の方法について説明する。まず、ネジ４６を緩めて、可動カバー部２５と、第一固定カバー部４１及び着脱カバー部２６との固定状態を解除する。そして、図４の矢印ａに示すように、ヒンジ２９を中心にして可動カバー部２５を反時計回りに回転させ、砥石車Ｇの上方を開放する。ノズル３１は、可動カバー部２５とともに回転し、図４の二点鎖線に示すように、砥石車Ｇの交換に必要な角度まで移動される。なお、図示はしないが、可動カバー部２５の周面Ｔ３側の端部にはストッパー部材が設けられており、開放した可動カバー部２５は二点鎖線の位置で保持される。
【００３８】
次に、ネジ３３を緩めて、固定カバー部２４より着脱カバー部２６を取り外す。これにより、砥石車Ｇの取り出し口が広がり、交換作業がより容易になる。
【００３９】
次に、連結手段２２による第一砥石軸１３と第二砥石軸１４との連結を解除する。ここで、連結手段２２としては、第一砥石軸１３と第二砥石軸１４とを連結・分離することが可能な構成であれば、特に限定されるものではないが、本例では、以下の構成を適用している。すなわち、第二砥石軸１４の直径方向に横断して穿設されているレンチ穴４７にレンチの先端を挿入し、第二砥石軸１４に内蔵されている操作ピン４８を回転させ、第一砥石軸１３と第二砥石軸１４との連結部より操作ピン４８を待避させ、連結状態を解除する。
【００４０】
続いて、ボルト３９を緩めて取り外し、第一砥石軸１３のフランジ部２１と砥石車Ｇとの固定状態を解除する。そして、第二砥石軸１４を第一砥石軸１３から遠ざかる方向（図３矢印ｂ）にガイドさせることで、第一砥石軸１３と第二砥石軸１４との間に所定の隙間を形成し、その隙間を通して、砥石車Ｇを上方に引き出す。ここで、第一砥石軸１３と第二砥石軸１４との間に形成した所定の隙間は、砥石車Ｇに対して第二砥石軸側（すなわち、端面Ｔ２側）に形成されている。そして、砥石車Ｇの端面Ｔ２側の上部を覆うカバー部を、着脱カバー部２５とし、この着脱カバー部２６を取り外していることによって、端面Ｔ２側に形成された所定の隙間から砥石車Ｇを引き出す際の、砥石車Ｇの取り出し口が広がっている構成である。従って、より簡単に砥石車Ｇを引き出すことができる。
【００４１】
新たな砥石車Ｇを第一砥石軸１３と第二砥石軸１４との間に挿入し、第二砥石軸１４を第一砥石軸１３に近づけ、連結手段２２によって第一砥石軸１３と第二砥石軸１４とを連結する。そして、ボルト３９によって、第一砥石軸１３のフランジ部２１と砥石車Ｇとを固定する。これにより、新たな砥石車Ｇがセットされる。
【００４２】
続いて、着脱カバー部２６を固定カバー部２４に取り付ける。より詳しくは、着脱カバー部２６を、第二固定カバー部４２と第三固定カバー部４３とに係合させ、ネジ３３によって、第三固定カバー部４３に固定する。そして、可動カバー部２５を、ヒンジ２９を中心に時計回りに回転させ、砥石車Ｇの上方を閉じ、ネジ４６を締結することで可動カバー部２５と、第一固定カバー部４１及び着脱カバー部２６とを固定する。このとき、ノズル３１，５０は、ブラケット３０によって可動カバー部２５に固定されているので、可動カバー部２５が交換作業以前の位置に戻るのに従って、ノズル３１，５０の位置も一緒に移動され、元の位置まで戻る。また、ノズル３１，５０の根元３８に装着されているホース（図示しない）は、可撓性であるため、可動カバー部２５の開閉動作に伴って撓み、可動カバー部２５の開閉動作に干渉しない。従って、ホースやノズル３１，５０を着脱することなく、砥石車Ｇを交換することが可能である。
【００４３】
以上のように、上記の砥石ガード装置２３によれば、砥石車Ｇの上方を覆うカバー部は、固定カバー部２４に対して回転開閉可能に取り付けられ、砥石車Ｇの上方を開放させる可動カバー部２５である構成のため、可動カバー部２５を砥石車Ｇの上方で回転させることで、砥石車Ｇの端面Ｔ２から延出されている第二砥石軸１４に干渉させることなく可動カバー部２５を開放させることができる。従って、砥石車Ｇの交換作業において、砥石台１６より分離させることなく可動カバー部２５を回転させて砥石車Ｇの上方を開放することができ、また、分離の必要が無いことにより作業終了後に組みなおす手間も削減できる。さらに、砥石車Ｇを取り出す場合において、砥石車Ｇの上方が開放されることにより、砥石車Ｇを第二砥石軸１４の径方向（すなわち砥石車Ｇの上方）に引き出して取り出すことができ、これにより砥石車Ｇと、砥石車Ｇの端面Ｔ２から延出されている第二砥石軸１４とが干渉することもないため、容易に砥石車Ｇを引き出すことが可能となる。
【００４４】
特に、上記実施形態の砥石ガード装置２３によれば、クーラントや潤滑液を噴射するノズル３１，５０を、可動カバー部２５に対して固定する構成であるため、砥石交換作業において、ノズル３１を砥石ガード装置２３より分離させる必要がなく、可動カバー部２５を開放するだけで、可動カバー部２５と一体的に砥石車Ｇに干渉しない位置へと移動させることができる。また、交換作業終了後も、可動カバー部２５を閉じると、それに伴いノズル３１，５０も元の位置へと戻るため、ホースの取り回しや着脱が不要であることに加え、ノズル３１，５０の再調整の必要も無くなり、作業者の負担を大幅に軽減することができる。
【００４５】
さらに、上記実施形態の砥石ガード装置２３によれば、固定カバー部２４の一部を着脱可能な着脱カバー部２６とする構成であり、さらに、着脱カバー部２６は、軸方向に移動することが可能な第二砥石軸１４が連結される側の端面Ｔ２側に設けられる構成である。従って、着脱カバー部２６を取り外すことによって、端面Ｔ２側に形成された第一砥石軸１３と第二砥石軸１４との所定の隙間から、砥石車Ｇを取り出す際に、砥石車Ｇの取り出し口が広がる構成のため、より容易に砥石車Ｇを取り出すことが可能となる。また、砥石車Ｇの端面Ｔ２側を覆うカバー部の上側部分のみを着脱する構成により、例えば端面Ｔ１側を覆うカバー部全域を着脱する構成などに比べ、着脱操作も簡便なものとなる。
【００４６】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００４７】
上記実施形態では、着脱カバー部２６は、固定カバー部２４に対して、ネジ３３によって着脱可能に固定されている構成としたが、これに限定されるものではなく、固定カバー部２４と着脱カバー部２６との接合部に一対の凹凸部を設け、これらを嵌着させる構成としても良い。ただし、上記実施形態によれば、比較的簡単な構造によって固定カバー部２４と着脱カバー部２６とを構成でき、また、着脱も容易であるため、より好ましい。
【図面の簡単な説明】
【００４８】
【図１】本実施形態の砥石ガード装置が装着された円筒研削盤の構成を示す平面図である。
【図２】本実施形態の砥石ガード装置が装着された円筒研削盤の構成を示す側面図である。
【図３】本実施形態の砥石ガード装置の模式図である。
【図４】本実施形態の砥石ガード装置の構成を示す左側面図である。
【図５】本実施形態の砥石ガード装置の構成を示す右側面図である。
【図６】従来の砥石ガード装置の構成を示す模式図である。
【符号の説明】
【００４９】
１６  砥石台
２３  砥石ガード装置
２４  固定カバー部
２５  可動カバー部
２６  着脱カバー部
２９  ヒンジ（回転軸）
３０  ブラケット
３１  ノズル
４１  第一固定カバー部（固定カバー部）
４２  第二固定カバー部（固定カバー部）
４３  第三固定カバー部（固定カバー部）
Ｇ  砥石車
Ｋ  クーラント供給装置
【図１】
2006068838.tif 000003
【図２】
2006068838.tif 000004
【図３】
2006068838.tif 000005
【図４】
2006068838.tif 000006
【図５】
2006068838.tif 000007
【図６】
2006068838.tif 000008